(57)【要約】【課題】建築物のベランダ等に使い勝手のよい小部屋を簡単容易に形成でき、用済みとなったときには、簡単に分解、撤去できる仕切り装置を提供する。【解決手段】建築物ベランダＶＲの庇部Ｅと床部Ｆとの間の空間に設置して用いることができる仕切り装置ＰＷであり、該庇部と床部との間に立設可能の柱部材１と、これに取り付け可能の上下のレール部材２ａ、２ｂと、該レール部材に上下端部が連結具４にて該レール部材に沿って移動可能に連結される壁体部３１、３２、３３とを含み、各壁体部は展開状態と上下方向軸を中心とした折り畳み状態とに伸縮可能である。この仕切り装置ＰＷをベランダＶＲに設置することで、建築物本体Ｈに隣り合う小部屋をベランダＶＲに提供できる。【選択図】    図１
2005082975.tif 000002
【特許請求の範囲】
【請求項１】
建築物ベランダの庇部と床部との間の空間に設置して用いることができる仕切り装置であり、
該庇部と床部との間に立設可能の複数本の柱部材と、
前記柱部材に取付け可能の上下に対をなす上下のレール部材と、
上端部を上側連結手段にて前記上レール部材に、該レール部材に沿って移動可能に連結することができるとともに下端部を下側連結手段にて前記下レール部材に、該レール部材に沿って移動可能に連結することができる少なくとも一つの壁体部とを含んでおり、
前記壁体部は展開状態と上下方向軸を中心とした折り畳み状態とに伸縮可能であり、
前記上下レール部材を前記庇部と床部間に立設した前記柱部材に取り付けるとともに、該上下レール部材に前記壁体部の上下端部を連結することで前記建築物の本体に隣り合う小部屋を前記ベランダに形成できることを特徴とする仕切り装置。
【請求項２】
前記壁体部は隣り合うもの同士が互いにヒンジ連結された複数枚の小壁体部を含んでおり、該ヒンジの上下方向軸を中心に該小壁体部が前記小部屋内側へ突出するように折り畳み可能である請求項１記載の仕切り装置。
【請求項３】
前記壁体部の複数枚の小壁体部のうち両端の小壁体部のそれぞれの自由端部及び該壁体部の折り畳み状態においても前記上下レール部材に残し置かれるべきヒンジ連結部があるときは該ヒンジ連結部のそれぞれが前記上下の連結手段にて前記上下レール部材に、該レール部材に沿って移動可能に連結される請求項２記載の仕切り装置。
【請求項４】
前記壁体部の折り畳み状態で前記小部屋内側に配置されるヒンジ連結部が、該壁体部の展開状態から折り畳み状態への移行に際して該小部屋の外側へ移動することを防止するストッパが前記上下レール部材のうち少なくとも一方に設けられている請求項１、２又は３記載の仕切り装置。
【請求項５】
前記壁体部が展開状態で前記上下レール部材の予め定められた該壁体部の展開状態位置に配置されたとき、該壁体部の折り畳み状態で前記小部屋内側に配置されるヒンジ連結部が該小部屋内へ移動することを防止するストッパが前記上下レール部材のうち少なくとも一方に設けられている請求項１から４のいずれかに記載の仕切り装置。
【請求項６】
前記上下レール部材のそれぞれは平面視コの字形状で左右角部分が円弧形状に形成されており、前記小部屋形成にあたっては、該平面視コの字形状の開放側が建築物本体側に向けて前記上下レール部材に取り付けられる請求項１から５のいずれかに記載の仕切り装置。
【請求項７】
前記壁体部として、展開状態において前記上下レール部材の前記左右角部分の間の中央部分に配置されるべき中央壁体部と、展開状態において該上下レール部材の前記左右角部分のそれぞれに配置されるべき角部用壁体部と、展開状態において該上下レール部材の各角部分から自由端部へ続く袖部分に配置されるべき袖壁体部とを備えている請求項６記載の仕切り装置。
【請求項８】
少なくとも一つの前記壁体部が採光可能に形成されている請求項１から７のいずれかに記載の仕切り装置。
【発明の詳細な説明】
【技術分野】
【０００１】
本発明は仕切り装置、さらに言えば、例えば建築物のベランダの庇部と床部との間の空間に設置して建築物本体に隣り合う小部屋をベランダに形成できる仕切り装置に関する。
【背景技術】
【０００２】
従来、子供の勉強部屋や作業所を増築するため、動物の飼育や植物の育成のためなどのためにプレハブ式、組立式等の簡易な小屋が種々提案されてきた。これらの小屋はいずれも日常使用する居住用家屋、作業用家屋等の建築物に隣り合わせて設置されたり、或いはその近くに設置されたり、そのような建築物が建てられている敷地内の余裕のある場所に設置されたりしてきた。
【０００３】
また、同様の目的で、各階層を仕切って家屋相当部分を形成した、一般にマンション等と称されている集合住宅におけるベラランダや、一般的な一戸建て住宅におけるベランダ等にも小部屋を形成することが行われてきた。
【発明の開示】
【発明が解決しようとする課題】
【０００４】
しかしながら、集合住宅のベランダ等の小部屋は大工仕事により一から手作りされているのが現状であり、手間のかかるものである。
ベランダ等においても前記のプレハブ式、組立式等の簡易な小屋を設置することが考えられるが、かかる小屋はそれ自体小屋として独立した構造物であるため、小型のものでも相当大きく、ベラランダ等に設置することは困難であった。
【０００５】
また、前記のプレハブ式、組立式等の小屋は独立した構造物であるため、たとえベランダに設置することができても、建築物本体との間で人及び（又は）物の行き来を容易にするなど、使い勝手をよくすることはできない。使い勝手をよくしようとすると、建築物本体の一部を大幅に改造したり、小屋の一部を改造するなどしなければならず、そのような改造は実際上不可能か、仮にできるとしても非常に高価につく。
【０００６】
また、かかる組立式、プレハブ式の小屋は、簡易な小屋とはいえ、設置するとなると手間を要し、用済みとなったときの分解、撤去も手間を要するものである。
【０００７】
そこで本発明は、建築物のベランダに、建築物本体との間で人及び（又は）物の行き来が可能で使い勝手のよい小部屋を簡単容易に形成でき、一旦設置したあと用済みとなったときには、簡単に分解、撤去でき、また、寸法等の条件が許せば、建築物ベランダだけでなく、例えば建築物内の壁面前の空間等にも小部屋を形成することに利用できる仕切り装置を提供することを課題とする。
【課題を解決するための手段】
【０００８】
前記課題を解決するため本発明は次の仕切り装置を提供する。すなわち、
建築物ベランダの庇部と床部との間の空間に設置して用いることができる仕切り装置であり、
該庇部と床部との間に立設可能の複数本の柱部材と、
前記柱部材に取付け可能の上下に対をなす上下のレール部材と、
上端部を上側連結手段にて前記上レール部材に、該レール部材に沿って移動可能に連結することができるとともに下端部を下側連結手段にて前記下レール部材に、該レール部材に沿って移動可能に連結することができる少なくとも一つの壁体部とを含んでおり、
前記壁体部は展開状態と上下方向軸を中心とした折り畳み状態とに伸縮可能であり、
前記上下レール部材を前記庇部と床部間に立設した前記柱部材に取り付けるとともに、該上下レール部材に前記壁体部の上下端部を連結することで前記建築物の本体に隣り合う小部屋を前記ベランダに形成できる仕切り装置である。
【０００９】
この仕切り装置は次のようにして組立てて用いることができる。
建築物のベランダにおける庇部と床部の間に、前記複数本の柱部材を配列し、各柱部材を庇部及び床部間に立設固定する。それには限定されないが、柱部材はそれ自体で庇部と床部との間に突っ張り立設可能なものであることが好ましい。例えば、長さ調節可能なものであることが望ましい。さらには、長さ調節して庇部及び床部間に突っ張り立設固定できるものが好ましい。
【００１０】
本発明に係る仕切り装置は、柱部材としてそれ自体で庇部と床部との間に突っ張り立設固定できるものを採用すると、ベランダを改造等することなく設置できる。なお、このように庇部及び床部間に突っ張り立設できる柱部材を用いる場合でも、さらに、庇部及び（又は）床部にボルト止め等してより確実に固定してもよい。
【００１１】
かかる柱部材の配列は、前記上下レール部材の所定の側を建築物本体へ向けて該柱部材で支持できるように行う。このように立設固定した柱部材の上部に前記上レール部材を、下部に前記下レール部材を取付けるとともに、上レール部材に前記壁体部の上端部を上側連結手段にて、下レール部材に該壁体部の下端部を下側連結手段にて該レール部材に沿って移動可能に連結する。かくして仕切り装置を組み立て小部屋を提供できる。
【００１２】
なお、かかる小部屋は仕切り装置の構成等に応じて、建築物本体と該仕切り装置とで周囲が実質上囲まれてしまう小部屋の場合もあるし、一部が開放された状態の小部屋の場合もあり得る。
【００１３】
本発明に係る仕切り装置は部品点数が少ないので、このように簡単に組み立てることができ、組たてた仕切り装置により、建築物本体に隣り合う小部屋を簡単に提供できる。一旦設置したあと用済みとなったときには、簡単に分解、撤去できる。
【００１４】
かかる仕切り装置により提供される小部屋は、前記壁体部をレール部材に沿って適宜移動させ、折り畳むことで該壁体部のある部位を開くことができ、壁体部を展開することで該壁体部のある部位を閉じるこことができる。壁体部の数に応じて、それをレール部材の一端部に、或いは両端部に分けて折り畳み収納することで小部屋を全面的に開放したり、台風等に備えることも可能である。
【００１５】
また、かかる小部屋は建築物本体の開口部（例えば引き戸等が付いている開口部）を介して建築物本体との間で容易に人及び（又は）物の行き来が可能であり、使い勝手がよい。
【００１６】
また本発明に係る仕切り装置は、建築物ベランダに小部屋を提供できるものであるが、寸法等の条件が許せば、例えば、建築物内の壁面前の空間において、その天井部及び床部間に前記の柱部材を立設して組み立てることもでき、それにより該壁面前に小部屋を簡単容易に形成することができ、建築物内の該小部屋外側の空間領域との間で人及び（又は）物の行き来が可能である。
【００１７】
前記壁体部としては、代表例として、隣り合うもの同士が互いにヒンジ連結された複数枚の、より好ましくは２Ｎ（Ｎは正の整数）枚の小壁体部を含んでおり、該ヒンジの上下方向軸を中心に該小壁体部が前記小部屋内側へ突出するように折り畳み可能であるものを挙げることができる。小壁体部が内側へ折り畳まれるようにしておくことで、例えば仕切り装置をベランダに設置する場合において、該ベランダの事故防止用手すりが邪魔になって壁体部を折り畳むことができないというような問題を解消できる。
【００１８】
前記壁体部の上下レール部材への連結については、代表例として、該壁体部の複数枚の、より好ましくは２Ｎ（Ｎは正の整数）枚の小壁体部のうち少なくとも両端の小壁体部のそれぞれの自由端部を前記上下の連結手段にて前記上下レール部材に、該レール部材に沿って移動可能に連結する場合を挙げることができる。
【００１９】
また、小壁体部が４枚、６枚・・・等とある場合のように、壁体部の折り畳み状態においても前記上下レール部材に残し置かれるべきヒンジ連結部（小壁体部が４枚のときは一つ、６枚のときは二つ）のそれぞれを上下の連結手段にて前記上下レール部材に、該レール部材に沿って移動可能に連結することが望ましい。
【００２０】
いずれにしても、かかる連結手段の代表例として、小壁体部やヒンジ連結部に取り付けられ、レール部材に設けたガイドレール部に係合して移動可能のガイド輪を挙げることができる。
【００２１】
また、前記壁体部の折り畳み状態で前記小部屋内側に配置されるヒンジ連結部が、該壁体部の展開状態から折り畳み状態への移行に際して該小部屋の外側へ移動することを防止するストッパを前記上下レール部材のうち少なくとも一方に設けてもよい。
【００２２】
また、前記壁体部が展開状態で前記上下レール部材の予め定められた該壁体部の展開状態位置に配置されたとき、該壁体部の折り畳み状態で前記小部屋内側に配置されるヒンジ連結部が該小部屋内へ移動することを防止するストッパを前記上下レール部材のうち少なくとも一方に設けておいてもよい。これにより所定位置に配置された展開状態の壁体部が風等により小部屋内へ折れ曲がる等の不測の事態を防げる。
【００２３】
前記壁体部としては、レール部材に沿って全体的に展開できるような大きい１枚ものの壁体部を採用することが可能であるが、２以上の壁体部を採用してもよい。２以上の壁体部を採用することで、いずれかの壁体部は折り畳み状態とし、他の壁体部は展開状態とするなどして、小部屋の一部を開き、他は閉じておく等のことが可能であり、一層使い勝手がよくなる。
【００２４】
前記上下レール部材の形態は種々考えられるが、例えば、それぞれ平面視コの字形状で左右角部分が円弧形状に形成されており、前記小部屋形成にあたっては、該平面視コの字形状の開放側が建築物本体側にけて前記上下レール部材に取り付けられるものを挙げることができる。
【００２５】
このような上下レール部材を採用する場合、前記壁体部として、例えば、展開状態において前記上下レール部材の前記左右角部分の間の中央部分に配置されるべき中央壁体部と、展開状態において該上下レール部材の前記左右角部分のそれぞれに配置されるべき角部用壁体部と、展開状態において該上下レール部材の各角部分から自由端部へ続く袖部分に配置されるべき袖壁体部とを採用することができる。
【００２６】
いずれにしても少なくとも一つの壁体部については採光可能に形成しておくことが好ましい。これにより、仕切り装置により提供される小部屋をサンルーム、洗濯物の干し場等として利用できる。
【発明の効果】
【００２７】
以上説明したように本発明よると、建築物のベランダに、建築物本体との間で人及び（又は）物の行き来が可能で使い勝手のよい小部屋を簡単容易に形成でき、一旦設置したあと用済みとなったときには、簡単に分解、撤去でき、また、寸法等の条件が許せば、建築物ベランダだけでなく、例えば建築物内の壁面前の空間等にも小部屋を形成することに利用できる仕切り装置を提供することができる。
【発明を実施するための最良の形態】
【００２８】
以下本発明の実施の形態を図面を参照して説明する。
図１は建築物のベランダＶＲに設置した１実施形態に係る仕切り装置ＰＷの正面図である。図２は図１に示す仕切り装置ＰＷを、その上レール部材を省略して、且つ、各壁体部を展開状態として示す概略平面図である。図３は図２に示す仕切り装置を、各壁体部を折り畳み状態として示す概略平面図である。図４は、図３に示すように折り畳み状態とした壁体部の拡大平面図である。図５は袖壁体部の展開状態の平面図である。図６は図５に示す袖壁体部の正面図である。図７は図５に示す袖壁体部の一部及び上下レール部材等をそれぞれ断面で、柱部材等とともに示す図である。
【００２９】
図示の仕切り装置ＰＷは、建築物ベランダＶＲの庇部Ｅと床部Ｆとの間の空間に設置して用いることができる仕切り装置である。
図１等において、ＨはベランダＶＲを設けた建築物本体であり、ベランダへ出入り可能の引き戸付きの開口部Ｗ１及び窓Ｗ２を備えている。ｆはベランダＶＲにおける事故防止用の手すり乃至柵である。
【００３０】
図１から図３に示すように、この仕切り装置ＰＷは、複数本（ここでは４本）の柱部材１と、上下に対をなす上レール部材２ａ（図１、図７参照）及び下レール部材２ｂと、これらレール部材に取付けられる合計六つの壁体部とを含んでいる。
【００３１】
壁体部は、レール部材中央部のための左右の中央壁体部３１、レール部材角部のための左右の角部用壁体部３２及びレール部材袖部分のための袖壁体部３３である。これらについては後ほど詳述する。
【００３２】
各柱部材１は、図１、図７等に示すように、床部Ｆの上面から庇部Ｅの下面に至る高さより少し短い長さの柱本体１１と、該柱本体の上下端部のそれぞれに本体１１からの突出量調整が可能なように螺合された高さ調整部材１２と、各高さ調整部材１２に設けられたフランジ部１３とを備えている。
【００３３】
各柱部材１は、上下の高さ調整部材１２の本体１１からの突出量を調整しつつ上下フランジ部１３を庇部Ｅ及び床部Ｆに支持させ、突っ張らせることで庇部Ｅ及び床部Ｆ間に立設固定することができる。さらに、フランジ部１３をボルト等で取り外し可能に庇部Ｅ及び（又は）床部Ｆに固定してもよい。
【００３４】
上下のレール部材２ａ、２ｂは、図２及び図３に示すように、いずれも平面視コの字形状で左右角部分が円弧形状に形成されており、使用するときには、コの字形状の開放側を建築物本体Ｈへ向けて配置される。上レール部材２ａは、図１〜図３及び図７に示すように、柱本体１１に外側から嵌められるバンド金具１４を該レール部材の外側面にボルトナットＢ１で留めることで柱部材１に取付け可能である。下レール部材２ｂについても同様に柱部材１に取付け可能である。
【００３５】
上レール部材２ａは、図６、図７に示すように、後述するガイド輪４１が嵌合して転動走行できるガイドレール部２１ａをレール部材長手方向に沿って全長にわたって備えている。下レール部材２ｂも同様のガイドレール部２１ｂを備えている。下側ガイドレール部２１ｂは上側ガイドレール部２１ａとは上下の向きが逆に形成されている。
【００３６】
壁体部３１、３２、３３のそれぞれは上端部の数箇所が上側連結具４（図６、図７等参照）により上レール部材２ａに、該レール部材に沿って移動可能に連結される。上側連結具４は、左右一対のガイド輪４１を前後に一組配列した合計４個のガイド輪４１群をＴ字形状の支持部材４２に回転自在に支持させたものである。
【００３７】
壁体部３１、３２、３３のそれぞれは下端部も数箇所が下側連結具により下レール部材２ｂに、該レール部材に沿って移動可能に連結される。下側連結具は、上側連結具４と同構造のもので、上側連結具とは上下逆向きにして用いる点が異なるだけである。
【００３８】
連結具４はレール部材２ａ、２ｂを柱部材１に取り付ける前に予め該レール部材のガイドレール部に嵌めておけばよい。可能であるならレール部材２ａ、２ｂを柱部材１に取り付けた後に該レール部材のガイドレール部に嵌めてもよい。
【００３９】
壁体部３１、３２、３３のそれぞれは後述するようにレール部材に沿って展開する展開状態と上下方向の軸（ここでは後述するヒンジ軸）を中心とした折り畳み状態とに伸縮可能である。
【００４０】
左右の各中央壁体部３１は、展開状態において上下レール部材２ａ、２ｂの左右角部分の間の中央部分に配置されるべきものである。左右の角部用壁体部３２は、展開状態において上下レール部材２ａ、２ｂの左右角部分に配置されるべきものである。左右の袖壁体部３３は、展開状態において上下レール部材２ａ、２ｂの各角部分から自由端部へ続く袖部分に配置されるべきものである。
【００４１】
図１、図２はすべての壁体部が展開された状態を示している。図３は左側の壁体部３１、３２、３３をそれぞれ折り畳み状態としてレール部材２ａ、２ｂの左側袖部分に集めるとともに右側の壁体部３１、３２、３３をそれぞれ折り畳み状態としてレール部材２ａ、２ｂの右側袖部分に集めた状態を示している。図４は折り畳み状態で左側袖部分に集められた左側壁体部３１、３２、３３を拡大して示している。また、図５、図６は袖壁体部３３を展開して示している。
【００４２】
次に、先ず袖壁体部３３について、図５、図６、図７及び図４等を参照して説明する。  各袖壁体部３３は、２枚の小壁体部３０１を備えている。各小壁体部３０１は上下方向に延びる一対のサッシ３０２及び該サッシに両側端部が嵌め込まれた採光可能の透明ガラス板３０３を備えている。ガラス板３０３の側端部とサッシ溝との間には気密、水密用のパッキン３０４が嵌められている。該一対のサッシ３０２及びこれに嵌められたガラス板３０３の上下縁に沿って上枠３０２ａ及び下枠３０２ｂが配置されており、これらは上下のサッシ３０２にネジ留めされている。
【００４３】
袖壁体部３３を構成する両小壁体部３０１は上下３段のヒンジ３４により折り畳み可能に連結されている。なお、後ほど説明するが他の壁体部も複数枚の小壁体部を備えており、各壁体部における隣り合う小壁体部同士はヒンジ３４で連結されている。図１には各壁体部における各隣り合う小壁体部が３段のヒンジ３４で連結されている様子を示している。
【００４４】
図４、図５から分かるように、袖壁体部３３において、各ヒンジ３４は一対の翼部３４１とこれらに通されたヒンジ軸３４２とからなっており、一方の翼部３４１は一方の小壁体部３０１の該翼部に隣り合うサッシ３０２に接続形成されており、他方の翼部３４１は他方の小壁体部３０１の該翼部に隣り合うサッシ３０２に接続形成されている。
【００４５】
図７に示すように、上段ヒンジ軸３４２の上端及び下段ヒンジ軸３４２の下端のそれぞれには抜け止め部材３５がボルト留めされているとともに反対側端に抜け止め部材３６がボルト留めされている。中段のヒンジ軸３４２の上下端には抜け止め部材３６がボルト留めされている。これらにより各ヒンジ軸３４２はヒンジ翼部３４１から抜け止めされている。また、図７等に示すように、上段ヒンジ３４と中段ヒンジ３４との間及び中段ヒンジ３４と下段ヒンジ３４との間には、抜け止め部材３６を利用してパイプ３７を装着してある。
【００４６】
袖壁体部３３において、各小壁体部３０１の自由側端部に沿って側端部材３０が接合されている。なお、図７では該部材の図示を省略している。側端部材３０の端面にはパッキン３０’が設けられている。側端部材３０には前記ヒンジと同じ高さ位置に軸受け部材３８が３段に設けられている。図７では図５、図６において右側に示す小壁体部に接続された軸受け部材３８が示されている。各軸受け部材３８に軸棒３９、３９’が相対回動可能に嵌められている。
【００４７】
上下段の各軸棒３９は、軸棒の抜け止め部材を兼ねる二つ割り頭部３９１を一体的に有しており軸棒の反対側端には前記と同じ抜け止め部材３６がボルト留めされている。中段の軸棒３９’の上下端にはそれぞれ抜け止め部材３６がボルト留めされている。これらにより各軸棒３９’は軸受け部材３８から抜け止めされている。
上下段の各軸棒３９の頭部３９１の二つ割り部分に前記の連結具４のＴ字形部材４２がはめ込まれ、ボルト留めされる。また、上段軸受け部材３８と中段軸受け部材３８との間及び中段軸受け部材３８と下段軸受け部材３８との間には、抜け止め部材３６を利用してパイプ３７を装着してある。
【００４８】
かくして、袖壁体部３３は各小壁体部３０１の側端部材３０の上下端部が連結具４にて上下レール部材２ａ、２ｂに移動可能に連結されるとともに小壁体部同士がヒンジ３４で相互に連結されることで、レール部材に沿って移動可能であり、図５、図６に示すように１枚もの様に展開可能であるとともにヒンジ軸３４２を中心として図４等に示すように建築物本体Ｈ側へ二つ折りに折り畳み可能である。
【００４９】
次に、図４等を参照して中央壁体部３１について説明する。図４から分かるように、各中央壁体部３１は４枚の小壁体部３０１を有しているが、袖壁体部３３を二つ組み合わせた形態のものである。すなわち、二つの袖壁体部３３を隣り合わせ、そのとき隣り合う袖壁体部の側端部材３０に代えて前記と同じ、サッシ３０２に接続形成された上下３段のヒンジ３４を採用し、該ヒンジ３４で隣り合う中央部の小壁体部３０１を相互に二つ折り可能に連結し、さらに、該ヒンジ３４のうち上下段の各ヒンジの軸にそれぞれ連結具４を接続したものである。図４等において、袖壁体部３３における部品と同じ部品については袖壁体部３３で用いたものと同じ参照符号を付してある。
【００５０】
かくして、各中央壁体部３１はそれを構成する両端の小壁体部３０１の側端部材３０の上下端部が連結具４にて、また、中央部のヒンジ連結部３４００（図４参照）の上下端部が連結具４にて上下レール部材２ａ、２ｂに連結されることで、レール部材に沿って移動可能であり、図１、図２に示すように１枚もの様に展開可能であるとともに、ヒンジ連結部３４０（図４参照）における連結具４を接続していないヒンジ軸３４２を中心として図４等に示すように建築物本体Ｈ側へ四つ折りに折り畳み可能である。
【００５１】
各角部用壁体部３２は、それを構成している４枚の小壁体部３０１’の幅が、さらに言えば小壁体部３０１’を構成しているガラス板３０３’及び上下枠３０２ａ’、３０２ｂ’のそれぞれの幅が袖壁体部３３や中央壁体部３１におけるガラス板３０３や上下枠３０２ａ、３０２ｂの幅より小さい点を除けば、中央壁体部３１と同構造のものである。図面において、中央壁体部３１の部品と同じ部品については、中央壁体部３１で用いたものと同じ参照符号を付してある。
【００５２】
かくして、各角部用壁体部３２もそれを構成する両端の小壁体部３０１の側端部材３０の上下端部が連結具４にて、また、中央部のヒンジ連結部３４００の上下端部が連結具４にて上下レール部材２ａ、２ｂに連結されることで、レール部材に沿って移動可能であり、図１、図２に示すように１枚もの様に展開可能であるとともに、ヒンジ連結部３４０における連結具４を接続していないヒンジ軸３４２を中心として図４等に示すように建築物本体Ｈ側へ四つ折りに折り畳み可能である。
【００５３】
また、図５及び図７に示すように、上下レール部材２ａ、２ｂのそれぞれにはレール部材長手方向に沿って延びるストッパ２０がレール部材と一体的に形成されている。ストッパ２０は、壁体部３１、３２、３３の折り畳み状態で建築物本体Ｈ側へ突出するように配置されるヒンジ連結部３４０が（図４等参照）、壁体部の展開状態において、外側へ移動することを防止するものである。さらに言えば、ヒンジ連結部３４０における上下段のヒンジ軸３４２にボルト留めした抜け止め部材３５が該ストッパに当接して外側への移動が防止されるようになっている。
【００５４】
さらに、図５及び図７に示すように、上下レール部材２ａ、２ｂのそれぞれには数カ所に小さいストッパ２００がボルト留めされる。該ストッパは、壁体部３１、３２、３３のそれぞれが、図２等に示すように展開状態で上下レール部材２ａ、２ｂの予め定められた該壁体部の展開状態位置に配置されたとき、ヒンジ連結部３４０が建築物本体Ｈ側へ移動することを防止するものである。
【００５５】
以上説明した仕切り装置ＰＷは次のようにして組立てて用いることができる。
建築物のベランダＶＲにおける庇部Ｅと床部Ｆの間に、柱部材１を配列し、各柱部材１を庇部Ｅ及び床部Ｆ間に立設固定する。
【００５６】
かかる柱部材１の配列は、上下レール部材２ａ、２ｂをその平面視コの字状の開放側を建築物本体Ｈへ向けて該柱部材で支持できるように行う。このように立設固定した柱部材１の上部に上レール部材２ａを、下部に下レール部材２ｂを取付けるとともに、上下レール部材２ａ、２ｂに壁体部３１、３２、３３の上下端部を連結具４にて該レール部材に沿って移動可能に連結する。かくして仕切り装置ＰＷが組み立てられる。
【００５７】
この仕切り装置ＰＷは部品点数が少ないので、このように簡単に組み立てることができ、組み立てた仕切り装置ＰＷにより、建築物本体Ｈに隣り合う小部屋を簡単に提供できる。一旦設置したあと用済みとなったときには、簡単に分解、撤去できる。
【００５８】
かかる仕切り装置ＰＷによりベランダＶＲに提供される小部屋は、壁体部３１、３２、３３をレール部材２ａ、２ｂに沿って適宜移動させ、折り畳むことで開くことができ、壁体部３１、３２、３３を展開することで該壁体部のある部位を閉じることができる。
【００５９】
隣り合う壁体部（３１と３１、３１と３２、３２と３３）が展開状態で互いに突きあわされるとき、前記の壁体部の側端部材３０上のパッキン３０’同士が当接しあい、風雨の進入を抑制する。
【００６０】
図３に示すように、左側の壁体部３１、３２、３３をレール部材の左側袖部分に、右側の壁体部３１、３２、３３をレール部材の右側袖部分にそれぞれ折り畳み集めて収納することもでき、これにより小部屋を全面的に開放したり、台風等に備えることも可能である。
【００６１】
また、かかる小部屋は建築物本体Ｈの開口部Ｗ１を介して建築物本体Ｈとの間で容易に人及び（又は）物の行き来が可能であり、使い勝手がよい。
【００６２】
以上は仕切り装置ＰＷを建築物ベランダＶＲに設置する例を説明したものであるが、寸法等の条件が許せば、例えば、建築物内の壁面前の空間において、その天井部及び床部間に前記の柱部材を立設して組み立てることもでき、それにより該壁面前に小部屋を簡単容易に形成することができ、建築物内の該小部屋外側の空間領域との間で人及び（又は）物の行き来が可能である。
【産業上の利用可能性】
【００６３】
本発明は、建築物ベランダ等に使い勝手のよい小部屋を簡単に提供することに適用できる。
【図面の簡単な説明】
【００６４】
【図１】建築物のベランダＶＲに設置した１実施形態に係る仕切り装置ＰＷの正面図である。
【図２】図１に示す仕切り装置ＰＷを、その上レール部材を省略して、且つ、各壁体部を展開状態として示す概略平面図である。
【図３】図２に示す仕切り装置を、各壁体部を折り畳み状態として示す概略平面図である。
【図４】図３に示すように折り畳み状態とした壁体部の拡大平面図である。
【図５】袖用壁体部の展開状態の平面図である。
【図６】図５に示す袖用壁体部の一部省略の平面図である。
【図７】図５に示す袖壁体部の一部及び上下レール部材等をそれぞれ断面で、柱部材等とともに示す図である。
【符号の説明】
【００６５】
以下本発明の実施の形態を図面を参照して説明する。
ＶＲ  建築物ベランダ
Ｅ  庇部
Ｆ  床部
Ｈ  建築物本体
Ｗ１  扉付き開口部
Ｗ２  窓
ｆ  手すり
ＰＷ  仕切り装置
２ａ  上レール部材
２ｂ  下レール部材
２１ａ、２１ｂ  ガイドレール部
２０  ストッパ
２００  ストッパ
３１  中央壁体部
３２  角部用壁体部
３３  袖壁体部
１  柱部材
１１  柱本体
１２  高さ調整部材
１３  フランジ部
１４  バンド金具
Ｂ１  ボルトナット
４    連結具
４１  ガイド輪
４２  Ｔ字形状支持部材
３０１、３０１’  小壁体部
３０２  サッシ
３０３、３０３’  ガラス板                                                      ３０２ａ、３０２ａ’  上枠
３０２ｂ、３０２ｂ’  下枠
３０４  パッキン
３４  ヒンジ
３４１  ヒンジ翼部
３４２  ヒンジ軸
３５、３６  抜け止め部材
３７  パイプ
３０  側端部材
３０’  パッキン
３８  軸受け部材
３９、３９’  軸棒
３９１  軸棒に連設の二つ割り頭部
３４００  連結具４にてレール部材に
連結されるヒンジ連結部
３４０  連結具４を接続していない
ヒンジ連結部
【図１】
2005082975.tif 000003
【図２】
2005082975.tif 000004
【図３】
2005082975.tif 000005
【図４】
2005082975.tif 000006
【図５】
2005082975.tif 000007
【図６】
2005082975.tif 000008
【図７】
2005082975.tif 000009